(57)【特許請求の範囲】
【請求項１】
悪臭を他の不快でない臭いに感じさせる剤であって、
フラン化合物、ピラン化合物及びシクロペンタノン誘導体から選択される少なくとも一種の含酸素環状化合物を含有し、
前記フラン化合物は、フラネオール、フルフラール、５−メチルフルフラール、フルフリルメルカプタン、フルフリールアルコール、２−プロピオニルフラン、２−エチルフラン、メントフラン、２−メチル−３−フランチオール、２−メチル−３−テトラヒドロフランチオール、２−メチル−４，５−ジヒドロ−３−フランチオール、２−メチルフラン、２−メチルテトラヒドロフラン、２−ヘキサノイルフラン、２−ペンチルフラン、２−プロピルフラン、２−（３−フェニルプロピル）テトラヒドロフラン、２，３−ジヒドロベンゾフラン、２，４−ジメチル−４−フェニルテトラヒドロフラン、２−フルフリル−５−メチルフラン、２−ヘプチルフラン、２−メチルベンゾフラン、２−メチル−５−プロピオニルフラン、２−（５−エテニル−５−メチルテトラヒドロフラン−２−イル）−プロパナール、３−｛［２−メチル−（２ｏｒ４），５−ジヒドロ−３−フリル］チオ｝−２−メチルテトラヒドロフラン−３−チオール、２−エテニル−５−イソプロペニル−２−メチルテトラヒドロフラン、５−メチル−２−フランメタンチオール、６−メチル−２，３−ジヒドロチエノ［２，３−ｃ］フラン、２，５−ジメトキシテトラヒドロフラン、３−アセチル−２，５−ジメチルフラン、２−アセチル−５−メチルフラン、２−アセチルフラン、２−ブチルフラン、２，５−ジエチルテトラヒドロフラン、ジフルフリルジスルフィド、ジフルフリルエーテル、ジフルフリルスルフィド、及び２，５−ジメチル−３−フランチオールからなる群より選択される少なくとも一種であり、
前記ピラン化合物は、マルトール、エチルマルトール、４−アセトキシ−３−ペンチルテトラヒドロピラン、３，５−ジヒドロキシ−６−メチル−２，３−ジヒドロ−４（４Ｈ）−ピラノン、６−エテニル−２，２，６−トリメチルテトラヒドロピラン、５−メチル−３−ブチルテトラヒドロピラン−４−イルアセテート、オクタヒドロ−２Ｈ−１−ベンゾピラン−２−オン、４−メチル−２−（２−メチル−１−プロペニル）テトラヒドロピラン、テアスピラン、ビティスピラン、（２Ｓ，４ａＲ，８ａＳ）−２，５，５，８ａ−テトラメチル−３，４，４ａ，５，６，８ａ−ヘキサヒドロ−２Ｈ−１−ベンゾピラン、６−エテニル−２，２，６−トリメチルテトラヒドロ−３（４Ｈ）−ピラノン、６−ヒドロキシジヒドロテアスピラン、６−アセトキシジヒドロテアスピラン、及び２，６−ジエチル−５−イソプロピル−２−メチルテトラヒドロ−２Ｈ−ピランからなる群より選択される少なくとも１種であり、
前記シクロペンタノン誘導体は、シクロペンタノン、シクロテン、シクロテンアセテート、シクロテンプロピオネート、シクロテンブチレート、シクロテンイソブチレート、２−ゲラニルシクロペンタノン、２−ヘキシルシクロペンタノン、２−ヘキシリデンシクロペンタノン、２−シクロペンチルシクロペンタノン、２−アミル−２−シクロペンテノン、３−メチル−２−ペンチル−２−シクロペンテノン、３−エチル−２−ヒドロキシ−２−シクロペンテノン、２−ヒドロキシ−３，４−ジメチル−２−シクロペンテノン、２−メチル−３−（２−ペンテニル）−２−シクロペンテノン、３−メチル−２−（ｃｉｓ−２−ペンテニル）−２−シクロペンテノン、３−メチル−２−（ｔｒａｎｓ−２−ペンテニル）−２−シクロペンテノン、３−メチル−２−シクロペンテノン、３−エチル−２−ヒドロキシ−４−メチル−２−シクロペンテノン、２−ヘキシル−２−シクロペンテノン、及び２，３−ジメチル−２−シクロペンテノンからなる群より選択される少なくとも１種であり、
前記含酸素環状化合物の含有量は、悪臭を他の不快でない臭いに感じさせる剤を１００質量％として１０〜２５質量％である、
ことを特徴とする剤。
【請求項２】
前記含酸素環状化合物の含有量は、悪臭を他の不快でない臭いに感じさせる剤を１００質量％として１０〜２０質量％である、請求項１に記載の剤。
【請求項３】
前記フラン化合物の含有量は、悪臭を他の不快でない臭いに感じさせる剤を１００質量％として０．８〜５質量％である、請求項１又は２に記載の剤。
【請求項４】
前記ピラン化合物の含有量は、悪臭を他の不快でない臭いに感じさせる剤を１００質量％として５〜２０質量％である、請求項１〜３のいずれかに記載の剤。
【請求項５】
前記シクロペンタノン誘導体の含有量は、悪臭を他の不快でない臭いに感じさせる剤を１００質量％として０．１〜５質量％である、請求項１〜４のいずれかに記載の剤。
【請求項６】
更に、バニリン系化合物を含有する、請求項１〜５のいずれかに記載の剤。
【請求項７】
前記バニリン系化合物は、バニリン、エチルバニリン、アセトアルデヒドエチルバニリンアセタール、バニリンアセテート、エチルバニリンイソブチレート、アセトバニロン、エチルバニレート、エチルバニリンプロピレングリコールアセタール、メチルバニレート、バニリックアシド、バニリンイソブチレート、ブチルバニレート、バニリン２，３−ブタンジオールアセタール、及びバニリンラクテートからなる群より選択される少なくとも一種である、請求項６に記載の剤。
【請求項８】
前記バニリン系化合物の含有量は、悪臭を他の不快でない臭いに感じさせる剤を１００質量％として１０〜２０質量％である、請求項６又は７に記載の剤。
【請求項９】
更に、ピリジン類を含有する、請求項１〜８のいずれかに記載の剤。
【請求項１０】
前記ピリジン類は、２−アセチルピリジン、３−アセチルピリジン、４−アセチルピリジン、２−アセチル−１，４，５，６−テトラヒドロピリジン、２−アセチル−４−イソプロペニルピリジン、４−アセチル−２−イソプロペニルピリジン、２−アセチル−４−イソプロピルピリジン、３，５−ジメチル−４，５，６，７−テトラヒドロチエノ［３，２−ｃ］ピリジン、及び２−アセチル−３，４，５，６−テトラヒドロピリジンからなる群より選択される少なくとも一種である、請求項９に記載の剤。
【請求項１１】
更に、ピラジン類を含有する、請求項１〜１０のいずれかに記載の剤。
【請求項１２】
前記ピラジン類は、２−メチルチオ−３−メチルピラジン、２−メトキシ−３−メチルピラジン、２−エチル−３（５／６）ジメチルピラジン、２−エチル−３−メチルピラジン、２−メトキシ−５−メチルピラジン、２−アセチル−３，（５／６）−ジメチルピラジン、２−アセチル−３−エチルピラジン、２−アセチル−３−メチルピラジン、アセチルピラジン、２−（フルフリルチオ）−（３／５／６）−メチルピラジン、２−メチル−（５／６）−（メチルチオ）ピラジン、２−エチル−３−（メチルチオ）ピラジン２−イソプロピル−３−（メチルチオ）ピラジン、２−ｓｅｃ−ブチル−３−メトキシピラジン、２−エトキシ−（３／５／６）−メチルピラジン、２−エトキシ−３−エチルピラジン、２−エトキシ−３−イソプロピルピラジン、２−エチル−３−メトキシピラジン、２−ヘキシル−３−メトキシピラジン、２−イソブチル−３−メトキシピラジン、２−イソプロポキシ−３−メチルピラジン、２−イソプロピル−（３／５／６）−メトキシピラジン、２−メトキシ−（５／６）−メチルピラジン、２−メトキシ−３，５−ジメチルピラジン、２−イソプロピル−３−メトキシピラジン、メトキシピラジン、２−メチル−６−プロポキシピラジン、２−エトキシ−（５／６）−メチルピラジン、２−エトキシ−３−エチルピラジン、２−エトキシ−３−イソプロピルピラジン、２−ヘキシル−３−メトキシピラジン、及び２−（ヒドロキシメチル）−５−メチルピラジンからなる群より選択される少なくとも一種である、請求項１１に記載の剤。
【請求項１３】
畜産用又は水産用である、請求項１〜１２のいずれかに記載の剤。
【請求項１４】
悪臭を他の不快でない臭いに感じさせる方法であって、
フラン化合物、ピラン化合物及びシクロペンタノン誘導体から選択される少なくとも一種の含酸素環状化合物を含有する、悪臭を他の不快でない臭いに感じさせる剤を、空気中に噴霧し、
前記フラン化合物は、フラネオール、フルフラール、５−メチルフルフラール、フルフリルメルカプタン、フルフリールアルコール、２−プロピオニルフラン、２−エチルフラン、メントフラン、２−メチル−３−フランチオール、２−メチル−３−テトラヒドロフランチオール、２−メチル−４，５−ジヒドロ−３−フランチオール、２−メチルフラン、２−メチルテトラヒドロフラン、２−ヘキサノイルフラン、２−ペンチルフラン、２−プロピルフラン、２−（３−フェニルプロピル）テトラヒドロフラン、２，３−ジヒドロベンゾフラン、２，４−ジメチル−４−フェニルテトラヒドロフラン、２−フルフリル−５−メチルフラン、２−ヘプチルフラン、２−メチルベンゾフラン、２−メチル−５−プロピオニルフラン、２−（５−エテニル−５−メチルテトラヒドロフラン−２−イル）−プロパナール、３−｛［２−メチル−（２ｏｒ４），５−ジヒドロ−３−フリル］チオ｝−２−メチルテトラヒドロフラン−３−チオール、２−エテニル−５−イソプロペニル−２−メチルテトラヒドロフラン、５−メチル−２−フランメタンチオール、６−メチル−２，３−ジヒドロチエノ［２，３−ｃ］フラン、２，５−ジメトキシテトラヒドロフラン、３−アセチル−２，５−ジメチルフラン、２−アセチル−５−メチルフラン、２−アセチルフラン、２−ブチルフラン、２，５−ジエチルテトラヒドロフラン、ジフルフリルジスルフィド、ジフルフリルエーテル、ジフルフリルスルフィド、及び２，５−ジメチル−３−フランチオールからなる群より選択される少なくとも一種であり、
前記ピラン化合物は、マルトール、エチルマルトール、４−アセトキシ−３−ペンチルテトラヒドロピラン、３，５−ジヒドロキシ−６−メチル−２，３−ジヒドロ−４（４Ｈ）−ピラノン、６−エテニル−２，２，６−トリメチルテトラヒドロピラン、５−メチル−３−ブチルテトラヒドロピラン−４−イルアセテート、オクタヒドロ−２Ｈ−１−ベンゾピラン−２−オン、４−メチル−２−（２−メチル−１−プロペニル）テトラヒドロピラン、テアスピラン、ビティスピラン、（２Ｓ，４ａＲ，８ａＳ）−２，５，５，８ａ−テトラメチル−３，４，４ａ，５，６，８ａ−ヘキサヒドロ−２Ｈ−１−ベンゾピラン、６−エテニル−２，２，６−トリメチルテトラヒドロ−３（４Ｈ）−ピラノン、６−ヒドロキシジヒドロテアスピラン、６−アセトキシジヒドロテアスピラン、及び２，６−ジエチル−５−イソプロピル−２−メチルテトラヒドロ−２Ｈ−ピランからなる群より選択される少なくとも１種であり、
前記シクロペンタノン誘導体は、シクロペンタノン、シクロテン、シクロテンアセテート、シクロテンプロピオネート、シクロテンブチレート、シクロテンイソブチレート、２−ゲラニルシクロペンタノン、２−ヘキシルシクロペンタノン、２−ヘキシリデンシクロペンタノン、２−シクロペンチルシクロペンタノン、２−アミル−２−シクロペンテノン、３−メチル−２−ペンチル−２−シクロペンテノン、３−エチル−２−ヒドロキシ−２−シクロペンテノン、２−ヒドロキシ−３，４−ジメチル−２−シクロペンテノン、２−メチル−３−（２−ペンテニル）−２−シクロペンテノン、３−メチル−２−（ｃｉｓ−２−ペンテニル）−２−シクロペンテノン、３−メチル−２−（ｔｒａｎｓ−２−ペンテニル）−２−シクロペンテノン、３−メチル−２−シクロペンテノン、３−エチル−２−ヒドロキシ−４−メチル−２−シクロペンテノン、２−ヘキシル−２−シクロペンテノン、及び２，３−ジメチル−２−シクロペンテノンからなる群より選択される少なくとも１種であり、
前記含酸素環状化合物の含有量は、悪臭を他の不快でない臭いに感じさせる剤を１００質量％として１０〜２５質量％である、
ことを特徴とする方法。 
【発明の詳細な説明】
【技術分野】
【０００１】
本発明は、臭気変調剤及び臭気変調方法に関する。
【背景技術】
【０００２】
従来、日常生活での生活環境や、農業、畜産業、水産業、工業等の産業において発生する様々な悪臭が問題となっている。
【０００３】
例えば、日常生活において、部屋の臭い、冷蔵庫内の臭い、生ゴミ臭、下駄箱臭、ヒトや動物の体臭、ヒト・動物の糞尿の臭い等、様々な悪臭がある。
【０００４】
これらの臭気を改善する手段として、ポリフェノールを、アルカリ性を示す溶媒中、酸素分子共存下、反応時のｐＨ値が６．５以上で反応させて得られる有色の化合物を有効成分として含有することを特徴とする消臭剤組成物が開示されており、当該消臭剤組成物を、日常生活で発生する悪臭の消臭に用いることが開示されている（例えば、特許文献１参照）。
【０００５】
しかしながら、これらの臭気は消え難く、上述のような臭気を消すことにより消臭を図る消臭剤を用いても、十分に消臭することができないという問題がある。
【０００６】
また、畜産業や水産業の分野では、牛舎、豚舎、養鶏場等の各種畜舎の糞尿等に由来する悪臭や、魚市場、水産加工場等の各種水産業施設の生臭い悪臭が問題となっている。
【０００７】
例えば、畜産業において、牛舎、豚舎、養鶏場等の各種畜舎からは、飼養している牛、豚、鶏、その他の家畜類の糞尿が排出される。これらの糞尿からは非常に強い悪臭が発生し、近隣住民に対し大きな公害源となっている。また、畜舎内においても悪臭は、作業者はもとより家畜類にも悪影響を与え、畜産農家においても非常に大きな問題となっている。
【０００８】
また、水産業において、魚市場、水産加工場等の各種水産業施設では、魚に由来する生臭い悪臭が漂い、容易に消臭することができず、作業者にとって大きな問題となっている。
【０００９】
これらの臭気を改善する手段として、リン酸、リンゴ酸、クエン酸、酒石酸、乳酸から選ばれる少なくとも一種類の酸を含有する消臭剤が開示されており、当該消臭剤を、牛糞、豚糞、鶏糞等の家畜糞尿から発生する臭気と接触させることによって消臭し、消臭後の反応液を糞尿へ混合することによって処理することを特徴とする家畜糞尿等の消臭方法が開示されている（例えば、特許文献２参照）。
【００１０】
しかしながら、畜産業や水産業等のような産業において発生する臭気は、家畜の糞尿等に由来する悪臭や、魚独特の生臭い悪臭等であり、上述のような臭気を消すことにより消臭を図る消臭剤を用いても、十分に消臭することができないという問題がある。
【００１１】
従って、日常生活での生活環境や、産業において発生する臭気による問題を解決できる手段の開発が求められている。
【先行技術文献】
【特許文献】
【００１２】
【特許文献１】特開２００４−１６７２１８号公報
【特許文献２】特開２００９−２６８７５４号公報
【発明の概要】
【発明が解決しようとする課題】
【００１３】
本発明は、日常生活での生活環境や、産業において発生する悪臭を異なる臭気に変調して、悪臭による害を容易に解決することができる臭気変調剤、及び臭気変調方法を提供することを目的とする。
【課題を解決するための手段】
【００１４】
本発明者は、鋭意研究を重ねた結果、日常生活での生活環境や、産業において発生する悪臭を、異なる臭気に変調して他の不快でない臭いに感じさせる臭気変調剤によれば、これらの悪臭による不快感を十分に低減することができることを見出した。また、本発明者は、臭気変調剤を日常生活での生活空間や、牛舎、豚舎、養鶏場等の各種畜舎、又は、魚市場、水産加工場等の各種水産業施設等の産業施設において空気中に噴霧することで、悪臭を他の臭いに変調することができ、不快感を容易に低減でき、上記目的を達成することができることを見出し、本発明を完成するに至った。
【００１５】
即ち、本発明は、下記の臭気変調剤及び臭気変調方法に関する。
１．フラン化合物、ピラン化合物及びシクロペンタノン誘導体から選択される少なくとも一種の含酸素環状化合物を含有することを特徴とする臭気変調剤。
２．前記含酸素環状化合物の含有量は、臭気変調剤を１００質量％として１０〜２０質量％である、項１に記載の臭気変調剤。
３．前記フラン化合物は、フラネオール、フルフラール、５−メチルフルフラール、フルフリルメルカプタン、フルフリールアルコール、２−プロピオニルフラン、２−エチルフラン、メントフラン、２−メチル−３−フランチオール、２−メチル−３−テトラヒドロフランチオール、２−メチル−４，５−ジヒドロ−３−フランチオール、２−メチルフラン、２−メチルテトラヒドロフラン、２−ヘキサノイルフラン、２−ペンチルフラン、２−プロピルフラン、２−（３−フェニルプロピル）テトラヒドロフラン、２，３−ジヒドロベンゾフラン、２，４−ジメチル−４−フェニルテトラヒドロフラン、２−フルフリル−５−メチルフラン、２−ヘプチルフラン、２−メチルベンゾフラン、２−メチル−５−プロピオニルフラン、２−（５−エテニル−５−メチルテトラヒドロフラン−２−イル）−プロパナール、３−｛［２−メチル−（２ｏｒ４），５−ジヒドロ−３−フリル］チオ｝−２−メチルテトラヒドロフラン−３−チオール、２−エテニル−５−イソプロペニル−２−メチルテトラヒドロフラン、５−メチル−２−フランメタンチオール、６−メチル−２，３−ジヒドロチエノ［２，３−ｃ］フラン、２，５−ジメトキシテトラヒドロフラン、３−アセチル−２，５−ジメチルフラン、２−アセチル−５−メチルフラン、２−アセチルフラン、２−ブチルフラン、２，５−ジエチルテトラヒドロフラン、ジフルフリルジスルフィド、ジフルフリルエーテル、ジフルフリルスルフィド、及び２，５−ジメチル−３−フランチオールからなる群より選択される少なくとも一種である、項１又は２に記載の臭気変調剤。
４．前記フラン化合物の含有量は、臭気変調剤を１００質量％として０．８〜５質量％である、項１〜３のいずれかに記載の臭気変調剤。
５．前記ピラン化合物は、マルトール、エチルマルトール、４−アセトキシ−３−ペンチルテトラヒドロピラン、３，５−ジヒドロキシ−６−メチル−２，３−ジヒドロ−４（４Ｈ）−ピラノン、６−エテニル−２，２，６−トリメチルテトラヒドロピラン、５−メチル−３−ブチルテトラヒドロピラン−４−イルアセテート、オクタヒドロ−２Ｈ−１−ベンゾピラン−２−オン、４−メチル−２−（２−メチル−１−プロペニル）テトラヒドロピラン、テアスピラン、ビティスピラン、（２Ｓ，４ａＲ，８ａＳ）−２，５，５，８ａ−テトラメチル−３，４，４ａ，５，６，８ａ−ヘキサヒドロ−２Ｈ−１−ベンゾピラン、６−エテニル−２，２，６−トリメチルテトラヒドロ−３（４Ｈ）−ピラノン、６−ヒドロキシジヒドロテアスピラン、６−アセトキシジヒドロテアスピラン、及び２，６−ジエチル−５−イソプロピル−２−メチルテトラヒドロ−２Ｈ−ピランからなる群より選択される少なくとも１種である、項１〜４のいずれかに記載の臭気変調剤。
６．前記ピラン化合物の含有量は、臭気変調剤を１００質量％として５〜２０質量％である、項１〜５のいずれかに記載の臭気変調剤。
７．前記シクロペンタノン誘導体は、シクロペンタノン、シクロテン、シクロテンアセテート、シクロテンプロピオネート、シクロテンブチレート、シクロテンイソブチレート、２−ゲラニルシクロペンタノン、２−ヘキシルシクロペンタノン、２−ヘキシリデンシクロペンタノン、２−シクロペンチルシクロペンタノン、２−アミル−２−シクロペンテノン、３−メチル−２−ペンチル−２−シクロペンテノン、３−エチル−２−ヒドロキシ−２−シクロペンテノン、２−ヒドロキシ−３，４−ジメチル−２−シクロペンテノン、２−メチル−３−（２−ペンテニル）−２−シクロペンテノン、３−メチル−２−（ｃｉｓ−２−ペンテニル）−２−シクロペンテノン、３−メチル−２−（ｔｒａｎｓ−２−ペンテニル）−２−シクロペンテノン、３−メチル−２−シクロペンテノン、３−エチル−２−ヒドロキシ−４−メチル−２−シクロペンテノン、２−ヘキシル−２−シクロペンテノン、及び２，３−ジメチル−２−シクロペンテノンからなる群より選択される少なくとも１種である、項１〜６のいずれかに記載の臭気変調剤。
８．前記シクロペンタノン誘導体の含有量は、臭気変調剤を１００質量％として０．１〜５質量％である、項１〜７のいずれかに記載の臭気変調剤。
９．更に、バニリン系化合物を含有する、項１〜８のいずれかに記載の臭気変調剤。
１０．前記バニリン系化合物は、バニリン、エチルバニリン、アセトアルデヒドエチルバニリンアセタール、バニリンアセテート、エチルバニリンイソブチレート、アセトバニロン、エチルバニレート、エチルバニリンプロピレングリコールアセタール、メチルバニレート、バニリックアシド、バニリンイソブチレート、ブチルバニレート、バニリン２，３−ブタンジオールアセタール、及びバニリンラクテートからなる群より選択される少なくとも一種である、項９に記載の臭気変調剤。
１１．前記バニリン系化合物の含有量は、臭気変調剤を１００質量％として１０〜２０質量％である、項９又は１０に記載の臭気変調剤。
１２．更に、ピリジン類を含有する、項１〜１１のいずれかに記載の臭気変調剤。
１３．前記ピリジン類は、２−アセチルピリジン、３−アセチルピリジン、４−アセチルピリジン、２−アセチル−１，４，５，６−テトラヒドロピリジン、２−アセチル−４−イソプロペニルピリジン、４−アセチル−２−イソプロペニルピリジン、２−アセチル−４−イソプロピルピリジン、３，５−ジメチル−４，５，６，７−テトラヒドロチエノ［３，２−ｃ］ピリジン、及び２−アセチル−３，４，５，６−テトラヒドロピリジンからなる群より選択される少なくとも一種である、項１２に記載の臭気変調剤。
１４．更に、ピラジン類を含有する、項１〜１３のいずれかに記載の臭気変調剤。
１５．前記ピラジン類は、２−メチルチオ−３−メチルピラジン、２−メトキシ−３−メチルピラジン、２−エチル−３（５／６）ジメチルピラジン、２−エチル−３−メチルピラジン、２−メトキシ−５−メチルピラジン、２−アセチル−３，（５／６）−ジメチルピラジン、２−アセチル−３−エチルピラジン、２−アセチル−３−メチルピラジン、アセチルピラジン、２−（フルフリルチオ）−（３／５／６）−メチルピラジン、２−メチル−（５／６）−（メチルチオ）ピラジン、２−エチル−３−（メチルチオ）ピラジン２−イソプロピル−３−（メチルチオ）ピラジン、２−ｓｅｃ−ブチル−３−メトキシピラジン、２−エトキシ−（３／５／６）−メチルピラジン、２−エトキシ−３−エチルピラジン、２−エトキシ−３−イソプロピルピラジン、２−エチル−３−メトキシピラジン、２−ヘキシル−３−メトキシピラジン、２−イソブチル−３−メトキシピラジン、２−イソプロポキシ−３−メチルピラジン、２−イソプロピル−（３／５／６）−メトキシピラジン、２−メトキシ−（５／６）−メチルピラジン、２−メトキシ−３，５−ジメチルピラジン、２−イソプロピル−３−メトキシピラジン、メトキシピラジン、２−メチル−６−プロポキシピラジン、２−エトキシ−（５／６）−メチルピラジン、２−エトキシ−３−エチルピラジン、２−エトキシ−３−イソプロピルピラジン、２−ヘキシル−３−メトキシピラジン、及び２−（ヒドロキシメチル）−５−メチルピラジンからなる群より選択される少なくとも一種である、項１４に記載の臭気変調剤。
１６．畜産用又は水産用である、項１〜１５のいずれかに記載の臭気変調剤。
１７．フラン化合物、ピラン化合物及びシクロペンタノン誘導体から選択される少なくとも一種の含酸素環状化合物を含有する臭気変調剤を、空気中に噴霧することを特徴とする、臭気変調方法。
【発明の効果】
【００１６】
本発明の化臭気変調剤は、日常生活での生活環境や、産業において発生する悪臭を異なる臭気に変調して他の不快でない臭いに感じさせるように変調することができ、これらの悪臭による不快感を低減することができる。また、本発明の臭気変調方法によれば、上記臭気変調剤を日常生活での生活空間や、牛舎、豚舎、養鶏場等の各種畜舎、又は、魚市場、水産加工場等の各種水産業施設等の産業施設において空気中に噴霧することで、悪臭を他の臭いに変調することができ、これらの悪臭による不快感を容易に低減することができる。
【発明を実施するための形態】
【００１７】
以下、本発明の臭気変調剤及び臭気変調方法について詳細に説明する。
【００１８】
１．臭気変調剤
本発明の臭気変調剤は、フラン化合物、ピラン化合物及びシクロペンタノン誘導体から選択される少なくとも一種の含酸素環状化合物を含有する。
【００１９】
（フラン化合物）
フラン化合物は、含酸素環状化合物であり、４個の炭素原子と１個の酸素原子により形成される５員環のフラン骨格を有していれば特に限定されない。フラン化合物としては、例えば、フラネオール、フルフラール、５−メチルフルフラール、フルフリルメルカプタン、フルフリールアルコール、２−プロピオニルフラン、２−エチルフラン、メントフラン、２−メチル−３−フランチオール、２−メチル−３−テトラヒドロフランチオール、２−メチル−４，５−ジヒドロ−３−フランチオール、２−メチルフラン、２−メチルテトラヒドロフラン、２−ヘキサノイルフラン、２−ペンチルフラン、２−プロピルフラン、２−（３−フェニルプロピル）テトラヒドロフラン、２，３−ジヒドロベンゾフラン、２，４−ジメチル−４−フェニルテトラヒドロフラン、２−フルフリル−５−メチルフラン、２−ヘプチルフラン、２−メチルベンゾフラン、２−メチル−５−プロピオニルフラン、２−（５−エテニル−５−メチルテトラヒドロフラン−２−イル）−プロパナール、３−｛［２−メチル−（２ｏｒ４），５−ジヒドロ−３−フリル］チオ｝−２−メチルテトラヒドロフラン−３−チオール、２−エテニル−５−イソプロペニル−２−メチルテトラヒドロフラン、５−メチル−２−フランメタンチオール、６−メチル−２，３−ジヒドロチエノ［２，３−ｃ］フラン、２，５−ジメトキシテトラヒドロフラン、３−アセチル−２，５−ジメチルフラン、２−アセチル−５−メチルフラン、２−アセチルフラン、２−ブチルフラン、２，５−ジエチルテトラヒドロフラン、ジフルフリルジスルフィド、ジフルフリルエーテル、ジフルフリルスルフィド、及び２，５−ジメチル−３−フランチオール等が挙げられる。これらの中でも、フラネオール、５−メチルフルフラール、フルフリルメルカプタンが好ましい。
【００２０】
フラン化合物の含有量は、臭気変調剤を１００質量％として０．５〜１０質量％が好ましく、０．８〜５質量％がより好ましく、０．８〜３質量％が更に好ましく、０．８〜１．５質量％が特に好ましく、０．９〜１．２質量％が最も好ましい。フラン化合物の含有量を上記範囲とすることにより、臭気変調剤が日常生活での生活環境や、産業において発生する悪臭を異なる臭気に変調し易くなり、これらの臭気による不快感を十分に低減することができる。
【００２１】
上記フラン化合物は、一種単独で用いてもよいし、二種以上を混合して用いてもよい。
【００２２】
（ピラン化合物）
ピラン化合物は、含酸素環状化合物であり、５個の炭素原子と１個の酸素原子により形成される６員環のエーテル化合物を骨格とするピラン骨格を有していれば特に限定されない。ピラン化合物としては、例えば、マルトール、エチルマルトール、４−アセトキシ−３−ペンチルテトラヒドロピラン、３，５−ジヒドロキシ−６−メチル−２，３−ジヒドロ−４（４Ｈ）−ピラノン、６−エテニル−２，２，６−トリメチルテトラヒドロピラン、５−メチル−３−ブチルテトラヒドロピラン−４−イルアセテート、オクタヒドロ−２Ｈ−１−ベンゾピラン−２−オン、４−メチル−２−（２−メチル−１−プロペニル）テトラヒドロピラン、テアスピラン、ビティスピラン、（２Ｓ，４ａＲ，８ａＳ）−２，５，５，８ａ−テトラメチル−３，４，４ａ，５，６，８ａ−ヘキサヒドロ−２Ｈ−１−ベンゾピラン、６−エテニル−２，２，６−トリメチルテトラヒドロ−３（４Ｈ）−ピラノン、６−ヒドロキシジヒドロテアスピラン、６−アセトキシジヒドロテアスピラン、及び２，６−ジエチル−５−イソプロピル−２−メチルテトラヒドロ−２Ｈ−ピラン等が挙げられる。これらの中でも、エチルマルトールが好ましい。
【００２３】
ピラン化合物の含有量は、臭気変調剤を１００質量％として５〜２０質量％が好ましく、５〜１５質量％がより好ましく、８〜１５質量％更に好ましく、８〜１２質量％が特に好ましい。ピラン化合物の含有量を上記範囲とすることにより、臭気変調剤が日常生活での生活環境や、産業において発生する悪臭を異なる臭気に変調し易くなり、これらの臭気による不快感を十分に低減することができる。
【００２４】
上記ピラン化合物は、一種単独で用いてもよいし、二種以上を混合して用いてもよい。
【００２５】
（シクロペンタノン誘導体）
シクロペンタノン誘導体は、含酸素環状化合物であり、５個の炭素原子により形成される５員環のシクロペンタン骨格と、酸素原子を有していれば特に限定されない。シクロペンタノン誘導体としては、例えば、シクロペンタノン、シクロテン、シクロテンアセテート、シクロテンプロピオネート、シクロテンブチレート、シクロテンイソブチレート、２−ゲラニルシクロペンタノン、２−ヘキシルシクロペンタノン、２−ヘキシリデンシクロペンタノン、２−シクロペンチルシクロペンタノン、２−アミル−２−シクロペンテノン、３−メチル−２−ペンチル−２−シクロペンテノン、３−エチル−２−ヒドロキシ−２−シクロペンテノン、２−ヒドロキシ−３，４−ジメチル−２−シクロペンテノン、２−メチル−３−（２−ペンテニル）−２−シクロペンテノン、３−メチル−２−（ｃｉｓ−２−ペンテニル）−２−シクロペンテノン、３−メチル−２−（ｔｒａｎｓ−２−ペンテニル）−２−シクロペンテノン、３−メチル−２−シクロペンテノン、３−エチル−２−ヒドロキシ−４−メチル−２−シクロペンテノン、２−ヘキシル−２−シクロペンテノン、２，３−ジメチル−２−シクロペンテノン等が挙げられる。これらの中でも、シクロテンが好ましい。
【００２６】
シクロペンタノン誘導体の含有量は、臭気変調剤を１００質量％として０．１〜５質量％が好ましく、０．５〜３質量％がより好ましい。ピラン化合物の含有量を上記範囲とすることにより、臭気変調剤が日常生活での生活環境や、産業において発生する悪臭を異なる臭気に変調し易くなり、これらの臭気による不快感を十分に低減することができる。
【００２７】
上記シクロペンタノン誘導体は、一種単独で用いてもよいし、二種以上を混合して用いてもよい。
【００２８】
上記含酸素環状化合物の臭気変調剤中の含有量、すなわち、フラン化合物、ピラン化合物及びシクロペンタノン誘導体の含有量の合計は、臭気変調剤を１００質量％として、５〜２５質量％が好ましく、５〜２０質量％がより好ましく、１０〜２０質量％が更に好ましく、１０〜１５質量％が特に好ましい。含酸素環状化合物の含有量を上記範囲とすることにより、臭気変調剤が日常生活での生活環境や、産業において発生する悪臭を異なる臭気に変調し易くなり、これらの臭気による不快感を十分に低減することができる。
【００２９】
臭気変調剤中のフラン化合物と、ピラン化合物との含有量の比は、質量比でフラン化合物：ピラン化合物＝１：２〜１：５が好ましく、１：３〜１：４がより好ましい。フラン化合物と、ピラン化合物との含有量の比を上記範囲とすることにより、臭気変調剤が日常生活での生活環境や、産業において発生する悪臭を異なる臭気に変調し易くなり、これらの臭気による不快感を十分に低減することができる。
【００３０】
（バニリン系化合物）
本発明の臭気変調剤は、更にバニリン系化合物を含有することが好ましい。臭気変調剤がバニリン系化合物を含有することにより、より優れた臭気変調効果を示すことができ、日常生活での生活環境や、産業において発生する悪臭による不快感をより効果的に低減することができる。
【００３１】
バニリン系化合物は、バニリン骨格を有する化合物であれば特に限定されない。バニリン系化合物としては、例えば、バニリン、エチルバニリン、アセトアルデヒドエチルバニリンアセタール、バニリンアセテート、エチルバニリンイソブチレート、アセトバニロン、エチルバニレート、エチルバニリンプロピレングリコールアセタール、メチルバニレート、バニリックアシド、バニリンイソブチレート、ブチルバニレート、バニリン２，３−ブタンジオールアセタール、バニリンラクテート等が挙げられる。これらの中でも、バニリン、エチルバニリンが好ましい。
【００３２】
バニリン系化合物の含有量は、臭気変調剤を１００質量％として５〜２５質量％が好ましく、５〜２０質量％がより好ましく、１０〜２０質量％が更に好ましく、１０〜１５質量％が特に好ましい。バニリン系化合物の含有量を上記範囲とすることにより、臭気変調剤が日常生活での生活環境や、産業において発生する悪臭を異なる臭気により変調し易くなり、これらの臭気による不快感を十分に低減することができる。
【００３３】
上記バニリン系化合物は、一種単独で用いてもよいし、二種以上を混合して用いてもよい。
【００３４】
（ピリジン類）
本発明の臭気変調剤は、更にピリジン類を含有することが好ましい。臭気変調剤がピリジン類を含有することにより、より優れた臭気変調効果を示すことができ、日常生活での生活環境や、産業において発生する悪臭による不快感をより効果的に低減することができる。
【００３５】
ピリジン類は、含窒素複素環式芳香族化合物であり、５個の炭素原子と１個の窒素原子により形成される６員環構造を有するピリジンを骨格とするピリジン骨格を有していれば特に限定されない。ピリジン類としては、例えば、２−アセチルピリジン、３−アセチルピリジン、４−アセチルピリジン、２−アセチル−１，４，５，６−テトラヒドロピリジン、２−アセチル−４−イソプロペニルピリジン、４−アセチル−２−イソプロペニルピリジン、２−アセチル−４−イソプロピルピリジン、３，５−ジメチル−４，５，６，７−テトラヒドロチエノ［３，２−ｃ］ピリジン、２−アセチル−３，４，５，６−テトラヒドロピリジン等が挙げられる。これらの中でも、２−アセチルピリジンが好ましい。
【００３６】
ピリジン類の含有量は、臭気変調剤を１００質量％として、０．０５〜０．３質量％が好ましく、０．１〜０．２質量％がより好ましい。ピリジン類の含有量を上記範囲とすることにより、臭気変調剤が日常生活での生活環境や、産業において発生する悪臭を異なる臭気により変調し易くなり、これらの臭気による不快感を十分に低減することができる。
【００３７】
上記ピリジン類は、一種単独で用いてもよいし、二種以上を混合して用いてもよい。
【００３８】
（ピラジン類）
本発明の臭気変調剤は、更にピラジン類を含有することが好ましい。臭気変調剤がピラジン類を含有することにより、より優れた臭気変調効果を示すことができ、日常生活での生活環境や、産業において発生する悪臭による不快感をより効果的に低減することができる。
【００３９】
ピラジン類は、含窒素複素環式芳香族化合物であり、４個の炭素原子と２個の窒素原子により形成される６員環構造を有する化合物であるピラジンを骨格とするピラジン骨格を有していれば特に限定されない。ピラジン類としては、例えば、２−メチルチオ−３−メチルピラジン、２−メトキシ−３−メチルピラジン、２−エチル−３（５／６）ジメチルピラジン、２−エチル−３−メチルピラジン、２−メトキシ−５−メチルピラジン、２−アセチル−３，（５／６）−ジメチルピラジン、２−アセチル−３−エチルピラジン、２−アセチル−３−メチルピラジン、アセチルピラジン、２−（フルフリルチオ）−（３／５／６）−メチルピラジン、２−メチル−（５／６）−（メチルチオ）ピラジン、２−エチル−３−（メチルチオ）ピラジン２−イソプロピル−３−（メチルチオ）ピラジン、２−ｓｅｃ−ブチル−３−メトキシピラジン、２−エトキシ−（３／５／６）−メチルピラジン、２−エトキシ−３−エチルピラジン、２−エトキシ−３−イソプロピルピラジン、２−エチル−３−メトキシピラジン、２−ヘキシル−３−メトキシピラジン、２−イソブチル−３−メトキシピラジン、２−イソプロポキシ−３−メチルピラジン、２−イソプロピル−（３／５／６）−メトキシピラジン、２−メトキシ−（５／６）−メチルピラジン、２−メトキシ−３，５−ジメチルピラジン、２−イソプロピル−３−メトキシピラジン、メトキシピラジン、２−メチル−６−プロポキシピラジン、２−エトキシ−（５／６）−メチルピラジン、２−エトキシ−３−エチルピラジン、２−エトキシ−３−イソプロピルピラジン、２−ヘキシル−３−メトキシピラジン、２−（ヒドロキシメチル）−５−メチルピラジン等が挙げられる。これらの中でも、２−メチルチオ−３−メチルピラジンが好ましい。
【００４０】
ピラジン類の含有量は、臭気変調剤を１００質量％として０．１〜０．５質量％が好ましく、０．２〜０．５質量％がより好ましく、０．２〜０．４質量％が更に好ましく、０．３〜０．４質量％特に好ましい。ピラジン類の含有量を上記範囲とすることにより、臭気変調剤が日常生活での生活環境や、産業において発生する悪臭を異なる臭気により変調し易くなり、これらの臭気による不快感を十分に低減することができる。
【００４１】
上記ピラジン類は、一種単独で用いてもよいし、二種以上を混合して用いてもよい。
【００４２】
（他の添加剤）
本発明の臭気変調剤は、本発明の効果を妨げない限り、他の添加剤を含有していてもよい。他の添加剤としては、例えば、上記フラン化合物、ピラン化合物、バニリン系化合物、ピリジン類及びピラジン類以外の有機酸、エステル系化合物、アルデヒド系化合物、ケトン系化合物等が挙げられる。
【００４３】
臭気変調剤中の上記他の添加剤の含有量の合計は、臭気変調剤を１００質量％として３０質量％以下が好ましく、２０質量％以下がより好ましく、１０質量％以下が更に好ましく、５質量％以下が特に好ましい。他の添加剤の含有量の合計を上記範囲とすることにより、臭気変調剤が日常生活での生活環境や、産業において発生する悪臭を異なる臭気により変調し易くなり、これらの臭気による不快感を十分に低減することができる。
【００４４】
（溶媒）
本発明の臭気変調剤において、上記各成分は、溶媒中に分散していることが好ましい。溶媒中に分散していることにより、日常生活での生活空間や、牛舎、豚舎、養鶏場等の各種畜舎、又は、魚市場、水産加工場等の各種水産業施設等の産業施設において、空気中に容易に噴霧することができる。
【００４５】
溶媒としては水、溶剤を用いることができる。溶剤としては特に限定されず、例えば、アルコール、エーテル、ケトン、エステル等が挙げられる。中でも、臭気変調剤を空気中に噴霧した際に適度な揮発性を示し、人や家畜に対する有害性が低い点で、アルコールが好ましい。
【００４６】
上記アルコールとしては特に限定されず、モノアルコール、又は、ジオール、トリオール等のポリオールが挙げられる。また、上記アルコールとしては、炭素数２〜４のアルコールを好適に用いることができる。上記アルコールの炭素数は、２〜３がより好ましい。
【００４７】
上記アルコールとしては、具体的には、エタノール、プロピレングリコール、グリセリン等が挙げられ、臭気変調剤を空気中に噴霧した際に適度な揮発性を示し、人や家畜に対する有害性が低い点で、エタノール、プロピレングリコールが好ましい。
【００４８】
上記溶媒は、一種単独で用いてもよいし、二種以上を混合して用いてもよい。
【００４９】
溶媒の含有量は、臭気変調剤を１００質量％として２０〜９０質量％が好ましく、３０〜９０質量％がより好ましく、４０〜８０質量％更に好ましく、５０〜８０質量％特に好ましい。溶媒の含有量を上記範囲とすることにより、臭気変調剤を空気中に噴霧し易くなり、且つ、空気中に噴霧した際に適度な揮発性及び保留性を示すことができる。
【００５０】
溶媒として、水と溶剤とを混合して用いる場合は、水と溶剤との含有量の比は、質量比で水：溶剤＝２：９８〜１０：９０が好ましく、１０：９０〜２０：８０がより好ましい。水と溶剤との含有量の比を上記範囲とすることにより、臭気変調剤を空気中に噴霧した際に適度な揮発性を示し、人や家畜に対する有害性をより低減することができる。
【００５１】
本発明の臭気変調剤は、悪臭が漂う場所であれば有用に用いることができるが、特に、畜産用又は水産用の臭気変調剤として用いることが好ましい。本発明の臭気変調剤を畜産用又は水産用に用いることにより、臭気変調剤が畜産業や水産業において発生する家畜の糞尿等に由来する悪臭や、魚独特の生臭い悪臭を、異なる臭気に変調して他の不快でない臭いに感じさせるように変調することができ、これらの悪臭による不快感を低減することができ、本発明の臭気変調剤の効果をより顕著に発揮することができる。
【００５２】
２．臭気変調方法
本発明は、また、フラン化合物、ピラン化合物及びシクロペンタノン誘導体から選択される少なくとも一種の含酸素環状化合物を含有する臭気変調剤を、空気中に噴霧することを特徴とする臭気変調方法でもある。
【００５３】
本発明の臭気変調方法において噴霧する臭気変調剤は、上述の臭気変調剤を用いることができる。
【００５４】
上記噴霧方法としては、空気中に臭気変調剤を噴霧できれば特に限定されず、例えば、スプレー噴霧による方法、マニアスプレッダにより堆肥と同時に噴霧する方法、臭気変調剤を風により飛散させる方法等の噴霧方法が挙げられる。
【００５５】
噴霧の際の臭気変調剤の温度は特に限定されず、１０〜２５℃が好ましく、１５〜２０℃がより好ましい。上記温度範囲で臭気変調剤を噴霧することにより、臭気変調剤をより広い範囲に効果的に噴霧することができる。
【００５６】
上記噴霧がスプレー噴霧である場合、スプレー噴霧の際の圧力は、０．２〜０．６ＭＰａが好ましく、０．３〜０．５ＭＰａがより好ましい。上記範囲の圧力で臭気変調剤を噴霧することにより、臭気変調剤をより広い範囲に効果的に噴霧することができる。
【００５７】
臭気変調剤を噴霧する場所としては特に限定されず、日常生活での生活空間や、牛舎、豚舎、養鶏場等の各種畜舎、又は、魚市場、水産加工場等の各種水産業施設等の産業施設において空気中に噴霧することができる。これらの場所において臭気変調剤を空気中に噴霧することで、悪臭を他の臭いに変調することができ、不快感を容易に低減できる。本発明の臭気変調方法においては、臭気変調剤を牛舎、豚舎、養鶏場等の各種畜舎、魚市場、水産加工場等の各種水産業施設に噴霧することが好ましい。これらの場所において臭気変調剤を空気中に噴霧することで、糞等に由来する悪臭や、魚独特の生臭い悪臭を他の臭いに変調することができ、これらの悪臭による不快感を容易に低減することができ、本発明の臭気変調方法の効果をより顕著に発揮することができる。
【実施例】
【００５８】
以下に実施例及び比較例を示して本発明を具体的に説明する。但し、本発明は実施例に限定されない。
【００５９】
（臭気変調剤の調製）
表１に示す臭気変調剤の原料を、混合槽に投入して混合、撹拌し、臭気変調剤を調製した。具体的には、加熱装置を備えた混合槽に、表１に示す配合により溶剤を投入し、次いで他の原料を順次添加して、２０℃の条件下で３０分間撹拌して、臭気変調剤を調製した。
【００６０】
（評価）
上記のようにして調製した実施例及び比較例の臭気変調剤を用いて、以下の評価を行った。すなわち、実施例及び比較例の臭気変調剤を質量比でプロピレングリコール（ＰＧ）：水：臭気変調剤＝４５：５０：５となるように混合して希釈液を調製した。
【００６１】
次いで、プラスチック製の内系２ｃｍのキャップ（フタ）内に牛糞０．５ｇを入れた。菌検査用滅菌シャーレの底面にＮｏ．２の濾紙を置き、濾紙の中央部に上記キャップを置き、キャップの周辺の濾紙に希釈液０．２ｇを環状に滴下して試料を調製した。また、希釈液を滴下しないブランクも調製した。
【００６２】
次いで、試料及びブランクにシャーレで蓋をして、室温下（２０℃）で１０分間静置した。静置後蓋を開けて、被験者がシャーレの中央の上１０ｃｍから臭いを嗅ぎ、ブランクの臭いと対比して、下記評価基準に従って官能評価を行った。被験者８人で上記試験を行い、下記評価基準の配点に、各評価をした人数を乗じて得られた点数により評価した。
【００６３】
（１）牛糞の臭いを感じたか
・牛糞の臭いを全く感じなかった（３点）
・牛糞の臭いを感じなかった（２点）
・牛糞の臭いを若干感じた（１点）
・牛糞の臭いを感じた（０点）
【００６４】
（２）ブランクから臭いが変わったと感じたか
・ブランクから臭いが変わったと感じた（３点）
・ブランクから臭いが若干変わったと感じた（２点）
・ブランクから臭いがあまり変わっていないと感じた（１点）
・ブランクから臭いが全く変わっていないと感じた（０点）
【００６５】
（３）良い臭いだと感じたか
・良い臭いだと感じた（３点）
・若干良い臭いだと感じた（２点）
・あまり良い臭いだと感じなかった（１点）
・全く良い臭いだと感じなかった（０点）
【００６６】
豚糞及び鶏糞についても上記と同一の試験を行い、同一の官能評価を行った。
【００６７】
結果を表１に示す。
【００６８】
【表１】
0006404266.tif 000002